(57)【特許請求の範囲】
【請求項１】
電子機器の前面又は背面を覆うカバー部と、該カバー部に対して折り曲げ可能に接続され、前記電子機器の一端部を装着可能な装着部を有した端面カバー部とを備えたカバースタンドであって、
前記カバー部は、一辺が前記端面カバー部と折り曲げ可能に接続された第１板状部と、一辺が前記第１板状部の他辺と折り曲げ可能に接続された第２板状部と、前記第１板状部と前記第２板状部との間を所定の折り曲げ角度に保持可能な角度保持部とを備え、
前記カバー部を前記電子機器の前面又は背面から離間させて前記第１板状部と前記第２板状部との間を前記角度保持部によって所定の折り曲げ角度に保持し、前記第２板状部の開放端である他辺を前記電子機器の背面に当接させることで、前記電子機器を起立保持するスタンド姿勢に姿勢変化可能であることを特徴とするカバースタンド。
【請求項２】
請求項１記載のカバースタンドにおいて、
前記角度保持部は、一辺が前記第１板状部に接続された第１保持板と、一辺が前記第１保持板の他辺と折り曲げ可能に接続され、他辺が前記第２板状部に接続された第２保持板とを備え、前記第１板状部と前記第２板状部との間の折り曲げ線を跨ぐように配置されると共に、前記第１保持板の前記一辺及び前記第２保持板の前記他辺以外の部位が前記第１板状部及び前記第２板状部から離間可能であることを特徴とするカバースタンド。
【請求項３】
請求項１又は２記載のカバースタンドにおいて、
前記第２板状部の前記電子機器の背面に当接する前記他辺の端面には、滑り止め部材又は滑り止め加工が設けられていることを特徴とするカバースタンド。
【請求項４】
請求項１〜３のいずれか１項に記載のカバースタンドにおいて、
前記角度保持部は、前記スタンド姿勢での前記電子機器の背面に対する前記第２板状部の当接角度が略直角となるように、前記第１板状部と前記第２板状部との間の折り曲げ角度を規定することを特徴とするカバースタンド。
【請求項５】
請求項１〜４のいずれか１項に記載のカバースタンドにおいて、
前記カバー部は、前記電子機器の背面を覆う背面カバー部であり、
前記端面カバー部の前記背面カバー部に対する接続側とは反対側の辺に接続され、前記電子機器の前面を覆う前面カバー部を備え、
前記背面カバー部と前記前面カバー部とを前記端面カバー部を介して二つ折りに折り畳むことで内側に前記電子機器を収納する収納姿勢と、前記前面カバー部から前記電子機器を離間させると共に、前記第１板状部と前記第２板状部との間を前記角度保持部を介して所定の折り曲げ角度に保持して前記電子機器を起立保持するスタンド姿勢とに姿勢変化可能であることを特徴とするカバースタンド。
【請求項６】
請求項５記載のカバースタンドにおいて、
前記前面カバー部の内面には、前記電子機器と通信可能なキーボード装置が設けられていることを特徴とするカバースタンド。
【請求項７】
請求項１〜６のいずれか１項に記載のカバースタンドと、タッチ操作可能なディスプレイを備えたタブレット型のパーソナルコンピュータである前記電子機器とを備えたことを特徴とするカバースタンド付き電子機器。
【発明の詳細な説明】
【技術分野】
【０００１】
本発明は、少なくとも電子機器の背面を覆うことができ、さらに該電子機器を起立保持することができるカバースタンドに関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、一般に手で把持した状態で操作する場合と、机や膝の上に置いた状態で操作する場合とがあり、特に机や膝の上に置いた状態で操作する場合にはスタンドを利用して立てた状態で使用されることもある。また、タブレット型ＰＣの持ち運び時に傷つきや破損を避けるため、その前面や背面を覆うことのできるカバー部材も提供されている。
【０００３】
このようなスタンド及びカバーに関し、特許文献１には、タブレット型ＰＣの前面を覆うカバー部を三角形状に折り畳むことでタブレット型ＰＣを起立させるスタンドとしても使用できるカバースタンドが開示されている。
【先行技術文献】
【特許文献】
【０００４】
【特許文献１】特表２０１２−５２９７１９号公報
【発明の概要】
【発明が解決しようとする課題】
【０００５】
上記特許文献１記載の構成ではスタンド姿勢での安定性を確保するため、カバー部に設けた磁石の吸着力を利用してカバー部の折り畳み形状を保持している。
【０００６】
ところが、タブレット型ＰＣやスマートフォン等の電子機器は、一般に電子コンパスやデジタイザ等の磁力の影響を受け易い機器を搭載している。このため、カバースタンドの磁石の配置や使用者の使用状態によっては、これら電子コンパスやデジタイザが磁石による影響を受けて正常に動作しない懸念がある。
【０００７】
本発明は、上記従来技術の課題を考慮してなされたものであり、電子機器に搭載される機器への影響をなくし、電子機器の起立姿勢での安定性を向上させることができるカバースタンド及びカバースタンド付き電子機器を提供することを目的とする。
【課題を解決するための手段】
【０００８】
本発明に係るカバースタンドは、電子機器の前面又は背面を覆うカバー部と、該カバー部に対して折り曲げ可能に接続され、前記電子機器の一端部を装着可能な装着部を有した端面カバー部とを備えたカバースタンドであって、前記カバー部は、一辺が前記端面カバー部と折り曲げ可能に接続された第１板状部と、一辺が前記第１板状部の他辺と折り曲げ可能に接続された第２板状部と、前記第１板状部と前記第２板状部との間を所定の折り曲げ角度に保持可能な角度保持部とを備え、前記カバー部を前記電子機器の前面又は背面から離間させて前記第１板状部と前記第２板状部との間を前記角度保持部によって所定の折り曲げ角度に保持し、前記第２板状部の開放端である他辺を前記電子機器の背面に当接させることで、前記電子機器を起立保持するスタンド姿勢に姿勢変化可能であることを特徴とする。
【０００９】
また、本発明に係るカバースタンド付き電子機器は、上記構成のカバースタンドと、タッチ操作可能なディスプレイを備えたタブレット型のパーソナルコンピュータである前記電子機器とを備えたことを特徴とする。
【００１０】
このような構成によれば、カバー部を構成する第１板状部と第２板状部との間を角度保持部によって所定の折り曲げ角度に保持することでスタンド姿勢に変化し、この状態で、第２板状部の開放端を電子機器の背面に当接させるだけで電子機器を所望の起立姿勢に保持することができる。これにより、カバー部及びこれを構成する角度保持部に磁石を用いることなく、安定したスタンド姿勢を維持することができ、電子機器に搭載された機器に磁力の影響を及ぼすこともない。
【００１１】
前記角度保持部は、一辺が前記第１板状部に接続された第１保持板と、一辺が前記第１保持板の他辺と折り曲げ可能に接続され、他辺が前記第２板状部に接続された第２保持板とを備え、前記第１板状部と前記第２板状部との間の折り曲げ線を跨ぐように配置されると共に、前記第１保持板の前記一辺及び前記第２保持板の前記他辺以外の部位が前記第１板状部及び前記第２板状部から離間可能な構成であってもよい。そうすると、角度保持部を第１保持板及び第２保持板からなる簡素な構造とすることができ、部品点数やコストを低減できる。しかも、角度保持部は第１板状部と第２板状部との間の折り曲げ線を跨ぐように配置されるため、第１板状部と第２板状部との間を折り曲げた際は、円滑に且つ確実に角度保持部が山形状に変形し、第１板状部と第２板状部との間の折り曲げ角度を所定角度に保持することができる。
【００１２】
前記第２板状部の前記電子機器の背面に当接する前記他辺の端面には、滑り止め部材又は滑り止め加工が設けられていてもよい。そうすると、第２板状部の開放端である他辺を電子機器の背面に対してより安定して当接支持させておくことができる。
【００１３】
前記角度保持部は、前記スタンド姿勢での前記電子機器の背面に対する前記第２板状部の当接角度が略直角となるように、前記第１板状部と前記第２板状部との間の折り曲げ角度を規定する構成であってもよい。そうすると、第２板状部による電子機器の支持が一層安定する。なお、前記電子機器の背面に対する前記第２板状部の他辺の当接角度が略直角であるとは、電子機器の背面に対して第２板状部が直角に当接した状態以外にも、直角を基準としてある程度の前後の角度範囲も含む概念である。
【００１４】
前記カバー部は、前記電子機器の背面を覆う背面カバー部であり、前記端面カバー部の前記背面カバー部に対する接続側とは反対側の辺に接続され、前記電子機器の前面を覆う前面カバー部を備え、前記背面カバー部と前記前面カバー部とを前記端面カバー部を介して二つ折りに折り畳むことで内側に前記電子機器を収納する収納姿勢と、前記前面カバー部から前記電子機器を離間させると共に、前記第１板状部と前記第２板状部との間を前記角度保持部を介して所定の折り曲げ角度に保持して前記電子機器を起立保持するスタンド姿勢とに姿勢変化可能な構成であってもよい。
【００１５】
前記前面カバー部の内面には、前記電子機器と通信可能なキーボード装置が設けられていてもよい。そうすると、起立保持した電子機器の入力手段として前面カバー部の内面に設けたキーボード装置を利用できる。
【発明の効果】
【００１６】
本発明によれば、カバー部及びこれを構成する角度保持部に磁石を用いることなく、安定したスタンド姿勢を維持することができ、電子機器に搭載された機器に磁力の影響を及ぼすこともない。
【図面の簡単な説明】
【００１７】
【図１】図１は、本発明の一実施形態に係るカバースタンドを用いてタブレット型ＰＣを起立保持した状態を示す斜視図である。
【図２】図２は、図１に示すカバースタンド及びタブレット型ＰＣを背面側から見た斜視図である。
【図３】図３は、図１に示すカバースタンドからタブレット型ＰＣを外した状態を示す要部拡大斜視図である。
【図４】図４は、カバースタンドを開いた状態で内面側から見た要部拡大平面図である。
【図５】図５は、カバースタンドを折り畳み、タブレット型ＰＣを内側に収納した状態を示す側面図である。
【図６】図６は、図５に示す収納姿勢から背面カバー部及びタブレット型ＰＣを開き操作し、カバースタンドをスタンド姿勢へと姿勢変化させる状態を示す側面図である。
【図７】図７は、図６に示す状態から背面カバー部の第１板状部と第２板状部との間を折り曲げ、カバースタンドをスタンド姿勢とした状態を示す側面図である。
【発明を実施するための形態】
【００１８】
以下、本発明に係るカバースタンド及びカバースタンド付き電子機器について好適な実施の形態を挙げ、添付の図面を参照しながら詳細に説明する。
【００１９】
図１は、本発明の一実施形態に係るカバースタンド１０を用いてタブレット型ＰＣ１２を起立保持した状態（スタンド姿勢）を示す斜視図であり、図２は、図１に示すカバースタンド１０及びタブレット型ＰＣ１２を背面側から見た斜視図である。図３は、図１に示すカバースタンド１０からタブレット型ＰＣ１２を外した状態を示す要部拡大斜視図であり、図４は、カバースタンド１０を開いた状態で内面側から見た要部拡大平面図である。また、図５は、カバースタンド１０を折り畳み、タブレット型ＰＣ１２を内側に収納した状態（収納姿勢）を示す側面図である。
【００２０】
本実施形態に係るカバースタンド１０は、タブレット型ＰＣ１２を机の上や椅子に座った使用者の膝の上等の設置面上で複数の傾斜角度で立てることができるスタンドとしての機能と、タブレット型ＰＣ１２を収納して持ち運ぶためのカバーケースとしての機能とを備える。カバースタンド１０の使用対象としては、タブレット型ＰＣ１２以外の電子機器、例えば携帯電話、スマートフォン又は電子手帳等も挙げられる。
【００２１】
タブレット型ＰＣ１２は、タッチ操作可能なタッチパネル式の液晶表示部であるディスプレイ１２ａを備え、内部に基板、演算装置及びメモリ等の各種電子部品（図示せず）を収納した一般に公知のものである。タブレット型ＰＣ１２の上端側には、例えば電子コンパス等の磁力の影響を受け易い機器１２ｂが搭載される場合がある（図１参照）。また、ディスプレイ１２ａにはデジタイザが搭載される場合がある。
【００２２】
カバースタンド１０は、図５に示す収納姿勢でタブレット型ＰＣ１２を内側に収納するように二つ折りに折り畳まれるカバー部材１４と、カバー部材１４の内側に設けられたベースプレート１６とを備える。
【００２３】
以下、図１に示すようにタブレット型ＰＣ１２を起立保持したスタンド姿勢での使用形態を基準とし、タブレット型ＰＣ１２を使用する使用者から見た方向で、手前側を前側（前方）、奥側を後側（後方）と呼び、タブレット型ＰＣ１２の起立方向を上下方向、幅方向を左右方向と呼んで説明する。
【００２４】
図１、図２及び図５に示すように、カバー部材１４は、当該カバースタンド１０の外表面を形成するものであり、タブレット型ＰＣ１２の背面を覆う背面カバー部（カバー部）２０と、図５に示す収納姿勢でタブレット型ＰＣ１２の前面を覆う前面カバー部２２と、背面カバー部２０と前面カバー部２２との間を折り曲げ可能に接続し、図５に示す収納姿勢でタブレット型ＰＣ１２の一端面を覆う端面カバー部２４とを有する。
【００２５】
前面カバー部２２は、タブレット型ＰＣ１２の前面を覆うことができる薄板状のカバーであり、平面視で収納するタブレット型ＰＣ１２よりも前後方向に多少長い外形を有した矩形形状である（図５参照）。前面カバー部２２は、その内面に薄板状のベースプレート１６が固着されることで２層構造となっている。前面カバー部２２は、カバースタンド１０を用いてタブレット型ＰＣ１２を使用する場合に、机や膝の上等に載置される底面板となる部位である。ベースプレート１６の上面にはキーボード装置２６が配設されると共に、キーボード装置２６の手前側にはタッチパッド２７が配設されている。
【００２６】
端面カバー部２４は、図５に示すようにタブレット型ＰＣ１２を内側にして背面カバー部２０と前面カバー部２２とを二つ折りに折り畳んで収納姿勢とした場合に、ベースプレート１６及びタブレット型ＰＣ１２の後端面を厚み方向に覆う背表紙となる部分である。従って、端面カバー部２４は、タブレット型ＰＣ１２及びベースプレート１６の合計厚み以上の幅を有する。端面カバー部２４は、前面カバー部２２との間の境界部分に左右横方向に延在する折り曲げ線Ａ１が形成され、背面カバー部２０との間の境界部分に左右横方向に延在する折り曲げ線Ａ２が形成されている。
【００２７】
端面カバー部２４の内面には、左右横方向に延在した装着部２８が設けられている。装着部２８は、タブレット型ＰＣ１２の下端面と比較して僅かに短い長さ寸法及び略同一の奥行きを有し、端面カバー部２４の内面から後方斜め上方に向かって傾斜しながら突出した台形状の部材である。装着部２８には、タブレット型ＰＣ１２の下端面に形成された図示しない凹部と係合可能な図示しない凸形状のフック部材、或いはタブレット型ＰＣ１２の下端面に対して吸着可能な図示しない磁石が設けられている。これら係合構造及び（又は）吸着構造により、タブレット型ＰＣ１２を装着部２８に対して着脱することができる。
【００２８】
なお、装着部２８に磁石を搭載した構造であっても、例えば電子コンパス等の機器１２ｂはタブレット型ＰＣ１２の上端側に設けられているため、該磁石の影響が及ぶことはない。また、ディスプレイ１２ａにはデジタイザが搭載されている場合であっても、デジタイザと装着部２８との間には一定のスペースが設けられるため、該磁石の影響が及ぶことはない。
【００２９】
このような装着部２８を有することで、当該カバースタンド１０のスタンド姿勢において、タブレット型ＰＣ１２は水平姿勢となった端面カバー部２４の上面から後方に所定角度、例えば図５に示す収納姿勢を０度とした場合に１００度〜１５０度程度の起立姿勢となるように設定されている（図１、図２及び図７参照）。また収納姿勢において、タブレット型ＰＣ１２は装着部２８に装着された状態のままで、水平姿勢となった背面カバー部２０及び前面カバー部２２と共に水平姿勢となる（図５参照）。
【００３０】
背面カバー部２０は、タブレット型ＰＣ１２の背面を覆うことができる薄板状のカバーであり、平面視で収納するタブレット型ＰＣ１２と略同一の外形を有した矩形形状である（図５参照）。図５に示す収納姿勢において、背面カバー部２０はタブレット型ＰＣ１２及びベースプレート１６（キーボード装置２６）を挟んで前面カバー部２２と重なるように配置される。
【００３１】
背面カバー部２０は、前縁部（一辺）が折り曲げ線Ａ１を介して端面カバー部２４の後縁部と折り曲げ可能に接続された第１板状部２０ａと、前縁部（一辺）が折り曲げ線Ａ３を介して第１板状部２０ａの後縁部（他辺）と折り曲げ可能に接続された第２板状部２０ｂとを備える。折り曲げ線Ａ３は、第１板状部２０ａと第２板状部２０ｂの間の境界部分に左右横方向に延在するように形成されている。背面カバー部２０には、さらに第１板状部２０ａと第２板状部２０ｂとの間を所定の折り曲げ角度に保持する角度保持部３０が備えられている。
【００３２】
第２板状部２０ｂの開放端となる後縁部（他辺）３１の端面には、ゴム材料等で形成された滑り止め部材３２が長手方向に延在するように設けられている（図３参照）。滑り止め部材３２は、図１及び図２に示すスタンド姿勢でタブレット型ＰＣ１２の背面に当接し、これを支持する部分である（図７も参照）。滑り止め部材３２に代えて第２板状部２０ｂの後端部３１の端面に直接的に凹凸形状等の滑り止め加工を設けてもよい。また、第２板状部２０ｂの表面材質が所定の滑り止め性能を有している場合等には、滑り止め部材３２や滑り止め加工を省略し、後端部３１を直接的にタブレット型ＰＣ１２の背面に当接させてもよい。本実施形態に係るカバースタンド１０では、角度保持部３０によってそのスタンド姿勢での角度位置が保持されるため、この第２板状部２０ｂの端面に磁石等の吸着手段を設けなくてもタブレット型ＰＣ１２を安定して支持することができる。
【００３３】
図３及び図４に示すように、角度保持部３０は、第１板状部２０ａと第２板状部２０ｂとの間の折り曲げ線Ａ３を跨ぐように配設されており、第１板状部２０ａ及び第２板状部２０ｂより小型の板状部材である。
【００３４】
角度保持部３０は、前端部（一辺）が第１板状部２０ａの内面に接続された第１保持板３０ａと、前端部（一辺）が折り曲げ線Ｂ１を介して第１保持板３０ａの後端部（他辺）と折り曲げ可能に接続され、後端部（他辺）が第２板状部２０ｂの内面に接続された第２保持板３０ｂとを備える。角度保持部３０は、第１保持板３０ａと第１板状部２０ａとの間の接続部に左右横方向に延在する折り曲げ線Ｂ２が形成され、第２保持板３０ｂと第２板状部２０ｂとの間の接続部に左右横方向に延在する折り曲げ線Ｂ３が形成されている。これにより、角度保持部３０は、第１保持板３０ａの前端部（折り曲げ線Ｂ２）及び第２保持板３０ｂの後端部（折り曲げ線Ｂ３）以外の部位が第１板状部２０ａ及び第２板状部２０ｂから離間可能となっている（図３、図６及び図７参照）。
【００３５】
本実施形態の場合、角度保持部３０は、第１板状部２０ａ及び第２板状部２０ｂを形成する表面材の折り曲げ線Ｂ２，Ｂ３となる部分以外の部位を矩形状に切り抜いて形成している（図３及び図４に示す切抜部２０ｃ参照）。このため、図５に示す収納姿勢において、角度保持部３０は、第１板状部２０ａ及び第２板状部２０ｂの内面の一部を形成するように収容配置され、背面カバー部２０の板厚増加に対する影響はない。勿論、背面カバー部２０の板厚増加を考慮する必要がない場合等には、角度保持部３０を第１板状部２０ａ及び第２板状部２０ｂの内面の上から取り付ける構造としてもよい。
【００３６】
このようなカバー部材１４は、前面カバー部２２から端面カバー部２４を経て背面カバー部２０まで一体的に延在形成されることで当該カバースタンド１０の外表面を形成する。カバー部材１４の材質としては、例えばガラスエポキシ樹脂やポリカーボネイト、カーボン等からなる薄い平板を芯材とし、その周囲を皮革や人工皮革、布等で囲繞したものが用いられる。また角度保持部３０は、例えば背面カバー部２０の内面を形成する皮革や布等の内側に上記したような薄い平板の芯材を設けたもので構成される。
【００３７】
図１、図２及び図５に示すように、ベースプレート１６は、剛性の高い樹脂材料や金属材料の板状部材を用いて構成され、前面カバー部２２の内面に固着される。このベースプレート１６の上面に露出するように配設されるキーボード装置２６は、無線又は有線によりタブレット型ＰＣ１２と接続され、タブレット型ＰＣ１２を操作するためのキーボードとして利用できる。
【００３８】
次に、以上のように構成されるカバースタンド１０を図５に示す収納姿勢から図７に示すスタンド姿勢へと姿勢変化させる方法を説明する。
【００３９】
図６は、図５に示す収納姿勢から背面カバー部２２及びタブレット型ＰＣ１２を開き操作し、カバースタンド１０をスタンド姿勢へと姿勢変化させる状態を示す側面図であり、図７は、図６に示す状態から背面カバー部２２の第１板状部２０ａと第２板状部２０ｂとの間を折り曲げ、カバースタンド１０をスタンド姿勢とした状態を示す側面図である。
【００４０】
先ず、カバースタンド１０は、図５に示す収納姿勢では、装着部２８にタブレット型ＰＣ１２が保持された状態で背面カバー部２０及び前面カバー部２２が折り曲げ線Ａ１，Ａ２を介して二つ折りに折り畳まれている。これにより、タブレット型ＰＣ１２は、その一端面が端面カバー部２４によって覆われ、背面が背面カバー部２０によって覆われ、前面がベースプレート１６を介して前面カバー部２２によって覆われている。このため、使用者はブックカバーのようにしてカバースタンド１０でタブレット型ＰＣ１２を保護した状態で持ち運ぶことができる。
【００４１】
次に、収納姿勢にあるカバースタンド１０をスタンド姿勢に変形させ、タブレット型ＰＣ１２を起立姿勢に保持する場合は、前面カバー部２２を机の上や膝の上等に載置し、端面カバー部２４の折り曲げ線Ａ１，Ａ２を介して背面カバー部２０を後方へと開いて机の上等に寝かせる。その後に或いは略同時に、図６に示すように折り曲げ線Ａ３を介して背面カバー部２０の第１板状部２０ａと第２板状部２０ｂとの間を折り曲げ、第１板状部２０ａを机の上等に寝かせた状態のまま、第２板状部２０ｂの開放端を上方へと持ち上げるように手前側へと折り返す。
【００４２】
この第２板状部２０ｂの折り返し動作に伴い、図６に示すように角度保持部３０の第１板状部２０ａ及び第２板状部２０ｂは、折り曲げ線Ｂ２，Ｂ３を介して第１保持板３０ａ及び第２保持板３０ｂがそれぞれ第１板状部２０ａ及び第２板状部２０ｂから離間するように持ち上がる。同時に折り曲げ線Ｂ１を介して第１保持板３０ａと第２保持板３０ｂとの間が山形状に折れ曲がる。
【００４３】
そうすると角度保持部３０は、図３及び図７に示すように第１保持板３０ａと第２保持板３０ｂとの間が折り曲げ線Ｂ１を介して略直角に折れ曲がった山形状となり、第２保持板３０ｂの表面で第２板状部２０ｂの内面を受け止めた状態で安定する。その結果、第１板状部２０ａと第２板状部２０ｂとの間が所定の折り曲げ角度に保持される。そこで、折り曲げ線Ａ１によって机の上等に開かれた端面カバー部２４の装着部２８によって後傾に立たされたタブレット型ＰＣ１２の背面に対し、第２板状部２０ｂの開放端である後端部３１（滑り止め部材３２）を当接させる。これにより、カバースタンド１０は、タブレット型ＰＣ１２を後傾の起立姿勢で所定角度に保持するスタンド姿勢となる（図１、図２及び図７参照）。
【００４４】
本実施形態の場合、角度保持部３０は、図７に示すスタンド姿勢でのタブレット型ＰＣ１２の背面に対する第２板状部２０ｂの当接角度が略直角となるように、第１板状部２０ａと第２板状部２０ｂとの間の折り曲げ角度を規定するように設定されているため、タブレット型ＰＣ１２をより安定して保持することができる。なお、タブレット型ＰＣ１２の背面に対する第２板状部２０ｂの当接角度が略直角とは、タブレット型ＰＣ１２の背面に対して第２板状部２０ｂが直角に当接した状態以外にも、直角を基準としてある程度の前後の角度範囲、例えば８０度〜１００度程度も含む概念であり、要は第２板状部２０ｂでタブレット型ＰＣ１２の背面を安定した保持できる状態となればよい。
【００４５】
次に、カバースタンド１０を図７に示すスタンド姿勢にある状態から図５に示す収納姿勢に変化させる場合には、背面カバー部２０の第２板状部２０ｂを折り曲げ線Ａ３を介して開いてタブレット型ＰＣ１２の背面から離間させ、背面カバー部２０を端面カバー部２４と共に手前側に折り畳む。これにより、再びカバー部材１４が端面カバー部２４によって二つ折りに折り畳まれて内側にタブレット型ＰＣ１２を収納した収納姿勢となる。
【００４６】
以上のように、本実施形態に係るカバースタンド１０は、電子機器であるタブレット型ＰＣ１２の背面を覆う背面カバー部２０と、背面カバー部２０に対して折り曲げ可能に接続され、タブレット型ＰＣ１２の一端部を装着可能な装着部２８を有した端面カバー部２４とを備えて構成され、背面カバー部２０は、一辺が端面カバー部２４と折り曲げ可能に接続された第１板状部２０ａと、一辺が第１板状部２０ａの他辺と折り曲げ可能に接続された第２板状部２０ｂと、第１板状部２０ａと第２板状部２０ｂとの間を所定の折り曲げ角度に保持可能な角度保持部３０とを備える。そして、背面カバー部２０をタブレット型ＰＣ１２の背面から離間させて第１板状部２０ａと第２板状部２０ｂとの間を角度保持部３０によって所定の折り曲げ角度に保持し、第２板状部２０ｂの開放端である後端部３１をタブレット型ＰＣ１２の背面に当接させることで、タブレット型ＰＣ１２を起立保持するスタンド姿勢に姿勢変化可能とされている。
【００４７】
このようにカバースタンド１０では、背面カバー部２０を構成する第１板状部２０ａと第２板状部２０ｂとの間を角度保持部３０によって所定の折り曲げ角度に保持することでスタンド姿勢に変化し、この状態で、第２板状部２０ｂの開放端である後端部３１をタブレット型ＰＣ１２の背面に当接させるだけでタブレット型ＰＣ１２を所望の起立姿勢に保持することができる。これにより、背面カバー部２０及びこれを構成する角度保持部３０に磁石を用いることなく、安定したスタンド姿勢を維持することができ、図１や図７に示すスタンド姿勢においてタブレット型ＰＣ１２に搭載された機器１２ｂやデジタイザ（図示せず）等に影響を及ぼすこともない。
【００４８】
しかも、カバースタンド１０は背面カバー部２０に磁石を用いていないため、例えば背面カバー部２０でタブレット型ＰＣ１２の背面を覆った状態のまま、前面カバー部２２のみを開いてタブレット型ＰＣ１２を使用する形態であっても機器１２ｂ等への影響が出ることは勿論ない。
【００４９】
また当該カバースタンド１０では、タブレット型ＰＣ１２の下端面を端面カバー部２４の装着部２８に装着した状態のままで収納姿勢からスタンド姿勢へと変化させることができる。これにより姿勢変化が容易であるだけでなく、前面カバー部２２の上面に前後方向のスペースを大きく確保できる。このため、キーボード装置２６として十分なキー数やキーピッチを有するものを用いることができ、さらにその手前にタッチパッド２７やパームレストを容易に設置できるという利点がある。
【００５０】
角度保持部３０は、一辺が第１板状部２０ａに接続された第１保持板３０ａと、一辺が第１保持板３０ａの他辺と折り曲げ可能に接続され、他辺が第２板状部２０ｂに接続された第２保持板３０ｂとを備える。そして、角度保持部３０は、第１板状部２０ａと第２板状部２０ｂとの間の折り曲げ線Ａ３を跨ぐように配置されると共に、第１保持板３０ａの一辺及び第２保持板３０ｂの他辺以外の部位が第１板状部２０ａ及び第２板状部２０ｂから離間可能である。これにより、角度保持部３０を第１保持板３０ａ及び第２保持板３０ｂからなる簡素な構造とすることができ、部品点数やコストを低減できる。しかも、折り曲げ線Ａ３によって背面カバー部２０の第１板状部２０ａと第２板状部２０ｂとの間を折り曲げた際は、円滑に且つ確実に角度保持部３０が山形状に変形するため（図６及び図７参照）、第１板状部２０ａと第２板状部２０ｂとの間の折り曲げ角度を所定角度に保持することができる。
【００５１】
なお、本発明は、上記した実施形態に限定されるものではなく、本発明の主旨を逸脱しない範囲で自由に変更できることは勿論である。
【００５２】
例えば上記実施形態では、前面カバー部２２にキーボード装置２６やタッチパッド２７を設けた構成を例示したが、キーボード装置２６等を省略して前面カバー部２２を単にタブレット型ＰＣ１２の前面を覆うものとして構成してもよい。また、前面カバー部２２は省略してもよい。
【００５３】
上記実施形態では、背面カバー部２０を第１板状部２０ａ及び第２板状部２０ｂで構成し、これら第１板状部２０ａ及び第２板状部２０ｂ間に亘って角度保持部３０を設けた構成を例示した。これに対し、前面カバー部２２に第１板状部２０ａ、第２板状部２０ｂ及び角度保持部３０と同様な構成を設ける一方、背面カバー部２０を省略し、前面カバー部２２を折り曲げ線Ａ１，Ａ２によってタブレット型ＰＣ１２の背面側に折り返し、角度保持部を介してスタンド姿勢を構築する構成としてもよい。
【符号の説明】
【００５４】
１０  カバースタンド
１２  タブレット型ＰＣ
１２ａ  ディスプレイ
１２ｂ  機器
１４  カバー部材
１６  ベースプレート
２０  背面カバー部
２０ａ  第１板状部
２０ｂ  第２板状部
２２  前面カバー部
２４  端面カバー部
２６  キーボード装置
２８  装着部
３０  角度保持部
３０ａ  第１保持板
３０ｂ  第２保持板
３２  滑り止め部材
Ａ１〜Ａ３，Ｂ１〜Ｂ３  折り曲げ線
【要約】      （修正有）【課題】電子機器の起立姿勢での安定性を向上させることができるカバースタンド及びカバースタンド付き電子機器を提供する。【解決手段】カバースタンド１０は、タブレット型ＰＣ１２の背面を覆う背面カバー部２０と、背面カバー部に対して折り曲げ可能に接続され、タブレット型ＰＣの一端部を装着可能な装着部２８を有した端面カバー部２４とを備える。背面カバー部は、一辺が端面カバー部と折り曲げ可能に接続された第１板状部２０ａと、一辺が第１板状部の他辺と折り曲げ可能に接続された第２板状部２０ｂと、第１板状部と第２板状部との間を所定の折り曲げ角度に保持可能な角度保持部とを備える。そして、第１板状部と第２板状部との間を角度保持部によって所定の折り曲げ角度に保持し、第２板状部の開放端である後端部をタブレット型ＰＣの背面に当接させることで、タブレット型ＰＣを起立保持するスタンド姿勢に姿勢変化可能である。【選択図】図１【図１】
0005965510.tif 000002
【図２】
0005965510.tif 000003
【図３】
0005965510.tif 000004
【図４】
0005965510.tif 000005
【図５】
0005965510.tif 000006
【図６】
0005965510.tif 000007
【図７】
0005965510.tif 000008